【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成装置であって、
画像情報を入力する画像情報入力手段と、
前記画像情報入力手段が入力した前記画像情報に基づいて記録媒体に画像を形成する画像形成手段と、
前記画像形成手段を停止状態から動作状態へ移行させる動作状態移行処理及び前記画像形成手段を前記動作状態から前記停止状態へ移行させる停止状態移行処理を実行する動作状態処理手段と、
前記画像形成手段が前記動作状態にある場合であって前記画像形成装置による画像形成が実行不能となる要因が発生した場合、前記動作状態処理手段による前記停止状態移行処理を実行するか否かを制御する制御手段と、
を有することを特徴とする画像形成装置。
【請求項２】
前記画像形成手段が前記動作状態にある場合に前記画像形成装置による画像形成が実行不能となる要因が発生したことに応じて、前記動作状態処理手段による前記停止状態移行処理を実行するか否かを前記画像形成装置の操作者に選択させる選択手段を有し、
前記制御手段は、前記選択手段が前記停止状態移行処理を実行すると選択した場合は前記停止状態移行処理を実行し、前記選択手段が前記停止状態移行処理を実行しないと選択した場合は前記停止状態移行処理を実行しないよう前記動作状態処理手段を制御することを特徴とする請求項１に記載の画像形成装置。
【請求項３】
前記選択手段は、前記停止状態移行処理を実行するか否かを前記画像形成装置の操作者に選択させるための画面を表示する表示部を介して、前記停止状態移行処理を実行するか否かを前記画像形成装置の操作者に選択させることを特徴とする請求項２に記載の画像形成装置。
【請求項４】
前記画像形成手段が前記動作状態にある場合に前記画像形成装置による画像形成が実行不能となる要因が発生したことに応じて、前記画像形成装置による画像形成が実行可能となるまでに要する所要時間を入力する入力手段を有し、
前記動作状態処理手段は、前記入力手段により前記所要時間が入力されてから前記所要時間が経過するまで前記画像形成装置による画像形成が実行不能となる要因が発生している場合、前記所要時間が経過したことに応じて、前記停止状態移行処理を実行することを特徴とする請求項１に記載の画像形成装置。
【請求項５】
前記入力手段は、前記所要時間を前記画像形成が実行不能となる要因に基づいて入力することを特徴とする請求項４に記載の画像形成装置。
【請求項６】
前記画像形成手段が前記動作状態にある場合に前記画像形成装置による画像形成が実行不能となる要因が発生したことに応じて、前記画像形成装置による画像形成が実行可能となるまでに要する所要時間を入力する入力手段を有し、
前記制御手段は、前記画像形成装置による画像形成が実行不能となる要因が発生し前記停止状態移行処理を実行しない場合における前記画像形成手段による画像形成速度を、前記所要時間に基づいて制御することを特徴とする請求項１乃至３のいずれか１項に記載の画像形成装置。
【請求項７】
前記画像形成手段が前記動作状態にある場合に前記画像形成装置による画像形成が実行不能となる要因が発生したことに応じて、前記画像形成装置による画像形成が実行可能となるまでに要する所要時間を入力する入力手段を有し、
前記動作状態処理手段は、前記入力された経過時間が、前記停止状態移行処理に要する停止状態移行時間と前記動作状態移行処理に要する動作状態移行時間の和より長い場合は、前記停止状態移行処理を実行することを特徴とする請求項１乃至３のいずれか１項に記載の画像形成装置。
【請求項８】
前記画像形成手段が前記動作状態にある場合であって前記画像形成装置による画像形成が実行不能となる要因が発生した場合に、前記画像形成手段の動作状態を維持できるか否かを判定する判定手段を有し、
前記制御手段は、前記判定手段が前記画像形成手段の動作状態を維持できると判定した場合は前記動作状態を維持するよう前記動作状態処理手段を制御し、前記判定手段が前記画像形成手段の動作状態を維持できないと判定した場合は前記停止状態移行処理を実行するよう前記動作状態処理手段を制御することを特徴とする請求項１に記載の画像形成装置。
【請求項９】
前記画像形成手段は、前記画像情報に基づく現像剤像を担持する像担持部と、
前記像担持部に担持された現像剤像を前記記録媒体へ転写する転写部と、
前記記録媒体に転写されずに前記像担持部に残存した現像剤像を清掃する清掃部を有し、
前記停止状態移行処理は、前記清掃部による前記現像剤像の清掃に関する処理であることを特徴とする請求項１乃至８のいずれか１項に記載の画像形成装置。
【請求項１０】
前記画像形成手段は、前記画像情報に基づく現像剤像を担持する像担持部と、
前記像担持部に担持された現像剤像を前記記録媒体へ転写する転写部と、
前記像担持部に担持される現像剤像の濃度を制御する濃度制御部を有し、
前記停止状態移行処理は、前記濃度制御部による濃度制御に関する処理であることを特徴とする請求項１乃至８のいずれか１項に記載の画像形成装置。
【請求項１１】
前記画像形成手段は、前記画像情報に基づく現像剤像を担持する像担持部と、
前記像担持部に担持された現像剤像を前記記録媒体へ転写する転写部と、
前記像担持部に現像剤を供給する現像剤供給部を有し、
前記画像形成装置は、前記現像剤供給部に供給しえる現像剤が所定量以下となった場合に、画像形成が実行不能となる要因が発生することを特徴とする請求項１乃至８のいずれか１項に記載の画像形成装置。
【請求項１２】
前記記録媒体を搬送する搬送手段を有し、
前記画像形成装置は、前記搬送手段による前記記録媒体の搬送が不能となった場合に、画像形成が実行不能となる要因が発生することを特徴とする請求項１乃至１０のいずれか１項に記載の画像形成装置。
【請求項１３】
前記画像形成手段は前記記録媒体を供給する記録媒体供給手段を有し、
前記画像形成装置は、前記記録媒体供給手段による前記記録媒体の供給が不能となった場合に、画像形成が実行不能となる要因が発生することを特徴とする請求項１乃至１０のいずれか１項に記載の画像形成装置。
【請求項１４】
記録媒体に画像を形成する画像形成手段を有する画像形成装置の制御方法であって、
入力された画像情報に基づいて記録媒体に画像を形成する画像形成ステップと、
前記画像形成手段を停止状態から動作状態へ移行させる動作状態移行処理及び前記画像形成手段を前記動作状態から前記停止状態へ移行させる停止状態移行処理を実行する動作状態処理ステップと、
前記画像形成手段が前記動作状態にある場合であって前記画像形成装置による画像形成が実行不能となる要因が発生した場合、前記動作状態処理手段による前記停止状態移行処理を実行するか否かを制御する制御ステップと、
を有することを特徴とする画像形成装置の制御方法。
【手続補正２】
【補正対象書類名】明細書
【補正対象項目名】０００９
【補正方法】変更
【補正の内容】
【０００９】
上記目的を達成するため、請求項１の画像形成装置は、記録媒体に画像を形成する画像形成装置であって、画像情報を入力する画像情報入力手段と、前記画像情報入力手段が入力した前記画像情報に基づいて記録媒体に画像を形成する画像形成手段と、前記画像形成手段を停止状態から動作状態へ移行させる動作状態移行処理及び前記画像形成手段を前記動作状態から前記停止状態へ移行させる停止状態移行処理を実行する動作状態処理手段と、前記画像形成手段が前記動作状態にある場合であって前記画像形成装置による画像形成が実行不能となる要因が発生した場合、前記動作状態処理手段による前記停止状態移行処理を実行するか否かを制御する制御手段と、を有することを特徴とする。
【手続補正３】
【補正対象書類名】明細書
【補正対象項目名】００１０
【補正方法】変更
【補正の内容】
【００１０】
請求項１４の画像形成装置の制御方法は、記録媒体に画像を形成する画像形成手段を有する画像形成装置の制御方法であって、入力された画像情報に基づいて記録媒体に画像を形成する画像形成ステップと、前記画像形成手段を停止状態から動作状態へ移行させる動作状態移行処理及び前記画像形成手段を前記動作状態から前記停止状態へ移行させる停止状態移行処理を実行する動作状態処理ステップと、前記画像形成手段が前記動作状態にある場合であって前記画像形成装置による画像形成が実行不能となる要因が発生した場合、前記動作状態処理手段による前記停止状態移行処理を実行するか否かを制御する制御ステップと、を有することを特徴とする。